(57)【特許請求の範囲】
【請求項１】
空調対象空間の空気を加熱する加熱手段と、前記空調対象空間の温度を検出する温度センサーと、使用者の操作による前記空調対象空間の目標温度を受け付ける受付手段と、前記目標温度を表示する表示手段とを備え、
前記温度センサーの検出温度が前記目標温度となるように、前記加熱手段を作動させる運転制御手段を備えており、
前記温度センサーの検出温度が基準温度未満であると第１空調モードが設定され、前記温度センサーの検出温度が前記基準温度以上であると第２空調モードが設定されるのであり、
前記第１空調モードにおいて、
前記受付手段は、第１温度範囲内の温度及び前記第１温度範囲の最高温度よりも高い第１上限温度の中から、使用者により指示された温度を前記目標温度として受け付け、前記表示手段は、前記受付手段が前記第１上限温度を前記目標温度として受け付けた場合、前記第１温度範囲に対応する前記目標温度の表示とは異なる上限温度用記号を表示し、
前記第２空調モードにおいて、
前記受付手段は、第２温度範囲内の温度及び前記第２温度範囲の最高温度よりも高い第２上限温度の中から、使用者により指示された温度を前記目標温度として受け付け、前記表示手段は、前記受付手段が前記第２上限温度を前記目標温度として受け付けた場合、前記第２温度範囲に対応する前記目標温度の表示とは異なる前記上限温度用記号を表示し、
前記第１上限温度を前記第２上限温度よりも低く設定している空調装置。
【請求項２】
前記第１温度範囲の最高温度を前記第２温度範囲の最高温度よりも低く設定している請求項１に記載の空調装置。
【請求項３】
前記第１上限温度を、前記第２上限温度よりも低く設定し、且つ、前記第２温度範囲の最高温度よりも低く設定している請求項１又は２に記載の空調装置。
【請求項４】
前記表示手段は、前記第１温度範囲に対応する前記目標温度を数字で表示して、前記第２温度範囲に対応する前記目標温度を数字で表示し、
前記第１空調モードで、前記受付手段が前記第１上限温度を前記目標温度として受け付けた状態において、前記温度センサーの検出温度が前記基準温度以上になると、
前記第１空調モードから前記第２空調モードに切り換えられ、前記表示手段は、前記上限温度用記号に代えて前記第１上限温度を数字で表示する請求項１〜３のうちのいずれか一つに記載の空調装置。
【請求項５】
空調対象空間の空気を冷却する冷房手段と、前記空調対象空間の温度を検出する温度センサーと、使用者の操作による前記空調対象空間の目標温度を受け付ける受付手段と、前記目標温度を表示する表示手段とを備え、
前記温度センサーの検出温度が前記目標温度となるように、前記冷房手段を作動させる運転制御手段を備えて、
前記温度センサーの検出温度が基準温度を越えていると第１空調モードが設定され、前記温度センサーの検出温度が前記基準温度以下であると第２空調モードが設定されるのであり、
前記第１空調モードにおいて、
前記受付手段は、第１温度範囲内の温度及び前記第１温度範囲の最低温度よりも低い第１下限温度の中から、使用者により指示された温度を前記目標温度として受け付け、前記表示手段は、前記受付手段が前記第１下限温度を前記目標温度として受け付けた場合、前記第１温度範囲に対応する前記目標温度の表示とは異なる下限温度用記号を表示し、
前記第２空調モードにおいて、
前記受付手段は、第２温度範囲内の温度及び前記第２温度範囲の最低温度よりも低い第２下限温度の中から、使用者により指示された温度を前記目標温度として受け付け、前記表示手段は、前記受付手段が前記第２下限温度を前記目標温度として受け付けた場合、前記第２温度範囲に対応する前記目標温度の表示とは異なる前記下限温度用記号を表示し、
前記第１下限温度を前記第２下限温度よりも高く設定している空調装置。
【請求項６】
前記第１温度範囲の最低温度を前記第２温度範囲の最低温度よりも高く設定している請求項５に記載の空調装置。
【請求項７】
前記第１下限温度を、前記第２下限温度よりも高く設定し、且つ、前記第２温度範囲の最低温度よりも高く設定している請求項５又は６に記載の空調装置。
【請求項８】
前記表示手段は、前記第１温度範囲に対応する前記目標温度を数字で表示して、前記第２温度範囲に対応する前記目標温度を数字で表示し、
前記第１空調モードで、前記受付手段が前記第１下限温度を前記目標温度として受け付けた状態において、前記温度センサーの検出温度が前記基準温度以下になると、
前記第１空調モードから前記第２空調モードに切り換えられて、前記表示手段は、前記下限温度用記号に代えて前記第１下限温度を数字で表示する請求項５〜７のうちのいずれか一つに記載の空調装置。
【発明の詳細な説明】
【技術分野】
【０００１】
本発明は、空調対象空間の空気を加熱（冷却）する加熱手段（冷房手段）を備えた空調装置に関する。
【背景技術】
【０００２】
空調装置では、使用者が所定の温度範囲の中から所望の目標温度を指示することによって、部屋（空調対象空間に相当）の温度が目標温度に維持されるように作動するものが多くある。
【０００３】
暖房用の空調装置では、所定の温度範囲の最高温度よりも高い上限温度が設定されたものがある。これにより、例えば寒い部屋を急速に温めたい場合、使用者が目標温度として上限温度を指示すると、空調装置の加熱手段が上限温度（目標温度）を目指して最大加熱能力（又は最大加熱能力に近い状態）で作動する。
【０００４】
同様に冷房用の空調装置では、所定の温度範囲の最低温度よりも低い下限温度が設定されたものがある。これにより、例えば暑い部屋を急速に冷やしたい場合、使用者が目標温度として下限温度を指示すると、空調装置の冷房手段が下限温度（目標温度）を目指して最大冷房能力（又は最大冷房能力に近い状態）で作動する。
【先行技術文献】
【特許文献】
【０００５】
【特許文献１】特許第３９６７２７７号公報
【発明の概要】
【発明が解決しようとする課題】
【０００６】
前述のような暖房用の空調装置において、例えば使用者が上限温度を目標温度として指示した状態で、着替え等の為に部屋から離れて空調装置を放置してしまうと、空調装置の加熱手段が最大加熱能力（又は最大加熱能力に近い状態）で長時間に亘って作動し、部屋を温め過ぎてしまう状態になることがある。
【０００７】
同様に冷房用の空調装置において、例えば使用者が下限温度を目標温度として指示した状態で、着替え等の為に部屋から離れて空調装置を放置してしまうと、空調装置の冷房手段が最大冷房能力（又は最大冷房能力に近い状態）で長時間に亘って作動し、部屋を冷やし過ぎてしまう状態になることがある。
本発明は、空調装置において、空調対象空間の温め過ぎや冷やし過ぎを防止することを目的としている。
【課題を解決するための手段】
【０００８】
本発明の特徴は、空調装置において次のように構成することにある。
空調対象空間の空気を加熱する加熱手段と、前記空調対象空間の温度を検出する温度センサーと、使用者の操作による前記空調対象空間の目標温度を受け付ける受付手段と、前記目標温度を表示する表示手段とを備え、
前記温度センサーの検出温度が前記目標温度となるように、前記加熱手段を作動させる運転制御手段を備えており、
前記温度センサーの検出温度が基準温度未満であると第１空調モードが設定され、前記温度センサーの検出温度が前記基準温度以上であると第２空調モードが設定されるのであり、
前記第１空調モードにおいて、
前記受付手段は、第１温度範囲内の温度及び前記第１温度範囲の最高温度よりも高い第１上限温度の中から、使用者により指示された温度を前記目標温度として受け付け、前記表示手段は、前記受付手段が前記第１上限温度を前記目標温度として受け付けた場合、前記第１温度範囲に対応する前記目標温度の表示とは異なる上限温度用記号を表示し、
前記第２空調モードにおいて、
前記受付手段は、第２温度範囲内の温度及び前記第２温度範囲の最高温度よりも高い第２上限温度の中から、使用者により指示された温度を前記目標温度として受け付け、前記表示手段は、前記受付手段が前記第２上限温度を前記目標温度として受け付けた場合、前記第２温度範囲に対応する前記目標温度の表示とは異なる前記上限温度用記号を表示し、
前記第１上限温度を前記第２上限温度よりも低く設定している。
【０００９】
本発明の特徴によると、使用者は、温度範囲及び温度範囲の最高温度よりも高い上限温度の中から目標温度を指示するのであり、目標温度が表示されることによって、使用者が指示した目標温度の確認を行う。
使用者が部屋を急速に温めようとして、上限温度を目標温度として指示した場合、上限温度用記号が表示されることにより、上限温度を目標温度として指示したことが確認できるのであるが、上限温度は単一ではなく、空調対象空間の温度により第１上限温度又は第２上限温度が目標温度として受け付けられる。
【００１０】
空調対象空間の温度が基準温度未満であると第１空調モードが設定されて、比較的低い第１上限温度が目標温度として受け付けられ、空調対象空間の温度が基準温度以上であると第２空調モードが設定されて、比較的高い第２上限温度が目標温度として受け付けられる。
【００１１】
これにより、空調対象空間の温度が基準温度未満である状態（空調対象空間の温度が比較的低い状態）において、比較的低い第１上限温度が目標温度として受け付けられるので、空調対象空間の温度と第１上限温度（目標温度）との差があまり大きなものにならず、空調装置の加熱手段が最大加熱能力（又は最大加熱能力に近い状態）で長時間に亘って作動する状態を避けることができて、部屋を温め過ぎてしまう状態を避けることができる。
【００１２】
同様に、空調対象空間の温度が基準温度以上である状態（空調対象空間の温度が比較的高い状態）において、比較的高い第２上限温度が目標温度として受け付けられるので、空調対象空間の温度と第２上限温度（目標温度）との差があまり大きなものにならず、空調装置の加熱手段が最大加熱能力（又は最大加熱能力に近い状態）で長時間に亘って作動する状態を避けることができて、部屋を温め過ぎてしまう状態を避けることができる。
【００１３】
本発明の特徴は、空調装置において次のように構成することにある。
前記第１温度範囲の最高温度を前記第２温度範囲の最高温度よりも低く設定している。
【００１４】
本発明の特徴によると、使用者が上限温度ではなく温度範囲の中から目標温度を指示した場合、空調対象空間の温度が基準温度未満であれば、比較的低い第１温度範囲の中から目標温度が受け付けられる。
使用者が上限温度ではなく温度範囲の中から目標温度を指示した場合、空調対象空間の温度が基準温度以上であれば、比較的高い第２温度範囲の中から目標温度が受け付けられる。
【００１５】
これにより、空調対象空間の温度と、第１温度範囲（第２温度範囲）の中から受け付けられた温度（目標温度）との差があまり大きなものにならず、空調装置の加熱手段が最大加熱能力（又は最大加熱能力に近い状態）で長時間に亘って作動する状態を避けることができて、部屋を温め過ぎてしまう状態を避けることができる。
【００１６】
本発明の特徴は、空調装置において次のように構成することにある。
前記第１上限温度を、前記第２上限温度よりも低く設定し、且つ、前記第２温度範囲の最高温度よりも低く設定している。
【００１７】
本発明の特徴によると、第１上限温度が低いものとなる。
これにより、空調対象空間の温度が基準温度未満である状態（空調対象空間の温度が比較的低い状態）において、使用者が第１上限温度を指示して、第１上限温度が目標温度として受け付けられた場合、空調対象空間の温度と第１上限温度（目標温度）との差が小さなものとなるので、空調装置の加熱手段が最大加熱能力（又は最大加熱能力に近い状態）で長時間に亘って作動する状態を避けることができて、部屋を温め過ぎてしまう状態を避けることができる。
【００１８】
本発明の特徴は、空調装置において次のように構成することにある。
前記表示手段は、前記第１温度範囲に対応する前記目標温度を数字で表示して、前記第２温度範囲に対応する前記目標温度を数字で表示し、
前記第１空調モードで、前記受付手段が前記第１上限温度を前記目標温度として受け付けた状態において、前記温度センサーの検出温度が前記基準温度以上になると、
前記第１空調モードから前記第２空調モードに切り換えられ、前記表示手段は、前記上限温度用記号に代えて前記第１上限温度を数字で表示する。
【００１９】
本発明の特徴によると、第１温度範囲（第２温度範囲）から目標温度が受け付けられると、目標温度が数字で表示されるのであり、第１上限温度（第２上限温度）が目標温度として受け付けられると、数字とは異なる上限温度用記号が表示される。
これにより、使用者は、使用者が指示した目標温度（第１温度範囲（第２温度範囲）の中の温度や第１上限温度（第２上限温度））を確認することができる。
【００２０】
この場合、空調対象空間の温度が基準温度未満である状態（空調対象空間の温度が比較的低い状態）で、第１上限温度が目標温度として受け付けられた状態（第１空調モード）（上限温度用記号の表示）において、空調装置の加熱手段の作動に伴って空調対象空間の温度が上昇し、空調対象空間の温度が基準温度以上になると、第１空調モードから第２空調モードに切り換えられ、上限温度用記号に代えて第１上限温度が数字で表示される。
この場合、第２空調モードにおいて、第１上限温度は目標温度の上限ではなく、使用者は第１上限温度よりも高い温度（例えば第２上限温度）を目標温度として指示することができる。
【００２１】
これにより、空調対象空間の温度が基準温度以上になり、上限温度用記号に代えて第１上限温度が数字で表示されることにより、使用者は、数字で表示された目標温度よりも高い温度を、目標温度として指示することができる状態になったことを認識することができるのであり、使用者はさらに高い温度を目標温度として指示することができる。
【００２２】
本発明の特徴は、空調装置において次のように構成することにある。
空調対象空間の空気を冷却する冷房手段と、前記空調対象空間の温度を検出する温度センサーと、使用者の操作による前記空調対象空間の目標温度を受け付ける受付手段と、前記目標温度を表示する表示手段とを備え、
前記温度センサーの検出温度が前記目標温度となるように、前記冷房手段を作動させる運転制御手段を備えて、
前記温度センサーの検出温度が基準温度を越えていると第１空調モードが設定され、前記温度センサーの検出温度が前記基準温度以下であると第２空調モードが設定されるのであり、
前記第１空調モードにおいて、
前記受付手段は、第１温度範囲内の温度及び前記第１温度範囲の最低温度よりも低い第１下限温度の中から、使用者により指示された温度を前記目標温度として受け付け、前記表示手段は、前記受付手段が前記第１下限温度を前記目標温度として受け付けた場合、前記第１温度範囲に対応する前記目標温度の表示とは異なる下限温度用記号を表示し、
前記第２空調モードにおいて、
前記受付手段は、第２温度範囲内の温度及び前記第２温度範囲の最低温度よりも低い第２下限温度の中から、使用者により指示された温度を前記目標温度として受け付け、前記表示手段は、前記受付手段が前記第２下限温度を前記目標温度として受け付けた場合、前記第２温度範囲に対応する前記目標温度の表示とは異なる前記下限温度用記号を表示し、
前記第１下限温度を前記第２下限温度よりも高く設定している。
【００２３】
本発明の特徴によると、使用者は、温度範囲及び温度範囲の最低温度よりも低い下限温度の中から目標温度を指示するのであり、目標温度が表示されることによって、使用者が指示した目標温度の確認を行う。
使用者が部屋を急速に冷やそうとして、下限温度を目標温度として指示した場合、下限温度用記号が表示されることにより、下限温度を目標温度として指示したことが確認できるのであるが、下限温度は単一ではなく、空調対象空間の温度により第１下限温度又は第２下限温度が目標温度として受け付けられる。
【００２４】
空調対象空間の温度が基準温度を越えていると第１空調モードが設定されて、比較的高い第１下限温度が目標温度として受け付けられ、空調対象空間の温度が基準温度以下であると第２空調モードが設定されて、比較的低い第２下限温度が目標温度として受け付けられる。
【００２５】
これにより、空調対象空間の温度が基準温度を越えた状態（空調対象空間の温度が比較的高い状態）において、比較的高い第１下限温度が目標温度として受け付けられるので、空調対象空間の温度と第１下限温度（目標温度）との差があまり大きなものにならず、空調装置の冷房手段が最大冷房能力（又は最大冷房能力に近い状態）で長時間に亘って作動する状態を避けることができて、部屋を冷やし過ぎてしまう状態を避けることができる。
【００２６】
同様に、空調対象空間の温度が基準温度以下である状態（空調対象空間の温度が比較的低い状態）において、比較的低い第２上限温度が目標温度として受け付けられるので、空調対象空間の温度と第２下限温度（目標温度）との差があまり大きなものにならず、空調装置の冷房手段が最大冷房能力（又は最大冷房能力に近い状態）で長時間に亘って作動する状態を避けることができて、部屋を冷やし過ぎてしまう状態を避けることができる。
【００２７】
本発明の特徴は、空調装置において次のように構成することにある。
前記第１温度範囲の最低温度を前記第２温度範囲の最低温度よりも高く設定している。
【００２８】
本発明の特徴によると、使用者が下限温度ではなく温度範囲の中から目標温度を指示した場合、空調対象空間の温度が基準温度を越えていれば、比較的高い第１温度範囲の中から目標温度が受け付けられる。
使用者が下限温度ではなく温度範囲の中から目標温度を指示した場合、空調対象空間の温度が基準温度以下であれば、比較的低い第２温度範囲の中から目標温度が受け付けられる。
【００２９】
これにより、空調対象空間の温度と、第１温度範囲（第２温度範囲）の中から受け付けられた温度（目標温度）との差があまり大きなものにならず、空調装置の冷房手段が最大冷房能力（又は最大冷房能力に近い状態）で長時間に亘って作動する状態を避けることができて、部屋を冷やし過ぎてしまう状態を避けることができる。
【００３０】
本発明の特徴は、空調装置において次のように構成することにある。
前記第１下限温度を、前記第２下限温度よりも高く設定し、且つ、前記第２温度範囲の最低温度よりも高く設定している。
【００３１】
本発明の特徴によると、第１下限温度が高いものとなる。
これにより、空調対象空間の温度が基準温度を越えている状態（空調対象空間の温度が比較的高い状態）において、使用者が第１下限温度を指示して、第１下限温度が目標温度として受け付けられた場合、空調対象空間の温度と第１下限温度（目標温度）との差が小さなものとなるので、空調装置の冷房手段が最大冷房能力（又は最大冷房能力に近い状態）で長時間に亘って作動する状態を避けることができて、部屋を冷やし過ぎてしまう状態を避けることができる。
【００３２】
本発明の特徴は、空調装置において次のように構成することにある。
前記表示手段は、前記第１温度範囲に対応する前記目標温度を数字で表示して、前記第２温度範囲に対応する前記目標温度を数字で表示し、
前記第１空調モードで、前記受付手段が前記第１下限温度を前記目標温度として受け付けた状態において、前記温度センサーの検出温度が前記基準温度以下になると、
前記第１空調モードから前記第２空調モードに切り換えられて、前記表示手段は、前記下限温度用記号に代えて前記第１下限温度を数字で表示する。
【００３３】
本発明の特徴によると、第１温度範囲（第２温度範囲）から目標温度が受け付けられると、目標温度が数字で表示されるのであり、第１下限温度（第２下限温度）が目標温度として受け付けられると、数字とは異なる下限温度用記号が表示される。
これにより、使用者は、使用者が指示した目標温度（第１温度範囲（第２温度範囲）の中の温度や第１下限温度（第２下限温度））を確認することができる。
【００３４】
この場合、空調対象空間の温度が基準温度を越えた状態（空調対象空間の温度が比較的高い状態）で、第１下限温度が目標温度として受け付けられた状態（第１空調モード）（下限温度用記号の表示）において、空調装置の冷房手段の作動に伴って空調対象空間の温度が下降し、空調対象空間の温度が基準温度以下になると、第１空調モードから第２空調モードに切り換えられ、下限温度用記号に代えて第１下限温度が数字で表示される。
第２空調モードにおいて、第１下限温度は目標温度の下限ではなく、使用者は第１下限温度よりも低い温度（例えば第２下限温度）を目標温度として指示することができる。
【００３５】
これにより、空調対象空間の温度が基準温度以下になり、下限温度用記号に代えて第１下限温度が数字で表示されることにより、使用者は、数字で表示された目標温度よりも低い温度を、目標温度として指示することができる状態になったことを認識することができるのであり、使用者はさらに低い温度を目標温度として指示することができる。
【図面の簡単な説明】
【００３６】
【図１】温風暖房装置の縦断正面図である。
【図２】温風暖房装置の縦断側面図である。
【図３】温風暖房装置における運転操作パネルの平面図である。
【図４】温風暖房装置における制御装置と各部との連係状態を示す概略図である。
【図５】温風暖房装置における第１空調モードの目標温度及び第２空調モードの目標温度の状態を示す図である。
【図６】温風暖房装置における制御の流れを示す図である。
【図７】発明の実施の第１別形態において、冷房装置における制御装置と各部との連係状態を示す概略図である。
【図８】発明の実施の第１別形態において、冷房装置における第１空調モードの目標温度及び第２空調モードの目標温度の状態を示す図である。
【図９】発明の実施の第１別形態において、冷房装置における制御の流れを示す図である。
【発明を実施するための形態】
【００３７】
本発明を空調装置の一例である温風暖房装置に適用した場合について、以下のように説明する。
本発明の実施形態における前後及び左右は、特段の説明がない限り、以下のように記載している。吹き出し口４が備えられた側が筐体１（温風暖房装置）の「前」であり、吸い込み口３が備えられた側が筐体１（温風暖房装置）の「後」である。筐体１の後側から前側を視た状態で、右側が筐体１（温風暖房装置）の「右」であり、左側が筐体１（温風暖房装置）の「左」である。
【００３８】
［１］
温風暖房装置の全体構成について説明する。
図１及び図２に示すように、箱状の筐体１の内部に、ガスＧ（ユーティリティに相当）を燃焼させる燃焼器２（加熱手段に相当）、燃焼器２にガスＧを供給するガス供給系、筐体１の後部に備えられた吸い込み口３、筐体１の前部の下部に備えられた吹き出し口４、筐体１の下部に備えられたファン５及びファンを駆動するモータ６、筐体１の上部に備えられた運転操作パネル７、制御装置８等を備えて、温風暖房装置が構成されている。
【００３９】
図１及び図２に示すように、ガス供給系は、筐体１の外部からホース（図示せず）により供給されるガスＧを燃焼器２に供給するガス流路９により構成されており、ガス流路９に、ガスＧの流量を調節する電磁操作式の流量制御弁１０、電磁操作式の第１開閉弁１１及び第２開閉弁１２等が備えられている。
燃焼器２に、箱状の燃焼室１３、ガス流路９からのガスを燃焼室１３に供給する供給部１４、点火器１５、燃焼が行われているか否かを検出する火炎センサー１６等が備えられている。
【００４０】
以上の構造により、図１及び図２に示すように、筐体１の外部の空気Ａ１が吸い込み口３から筐体１の内部に吸い込まれると、空気Ａ１が上側の空気Ａ２と下側の空気Ａ３とに分かれて、上側の空気Ａ２は燃焼器２の上側に流れる。
【００４１】
図１及び図２に示すように、ガス流路９から供給部１４の入口１４ａにガスＧが供給されるのに伴って、下側の空気Ａ３も供給部１４の入口１４ａに吸い込まれるのであり、ガスＧ及び下側の空気Ａ３が燃焼室１３に供給されて、ガスＧが燃焼する。燃焼器２から温かい空気Ａ４が上昇して、上側の空気Ａ２と温かい空気Ａ４とが合流し、合流した温かい空気Ａ５が下降してファン５に供給され、ファン５により温かい空気Ａ５が吹き出し口４から前側に吹き出される。
【００４２】
［２］
次に、温風暖房装置における運転操作パネル７及び制御構成について説明する。
図１及び図３に示すように、筐体１の上部に運転操作パネル７が備えられており、運転操作パネル７に、運転／停止スイッチ１７、運転表示ランプ１８、温度設定スイッチ１９（受付手段に相当）、室温表示部２０、目標温度表示部２１（表示手段に相当）、エコ運転スイッチ２７、おはようタイマースイッチ２８、おやすみタイマースイッチ２９が備えられている。
【００４３】
図３に示すように、運転／停止スイッチ１７は押し操作される毎に、温風暖房装置の運転状態及び停止状態の操作信号が交互に発信される。運転表示ランプ１８は、温風暖房装置が運転状態であると点灯し、温風暖房装置が停止状態であると消灯する。
【００４４】
図３に示すように、温度設定スイッチ１９は目標温度（後述の［３］参照）を受け付けるものであり、温度設定スイッチ１９の上昇側部分を押し操作すると、目標温度が１℃だけ上昇し、温度設定スイッチ１９の下降側部分を押し操作すると、目標温度が１℃だけ下降する。
【００４５】
図３に示すように、室温表示部２０は液晶パネルによって構成されており、温風暖房装置が設置された部屋（空調対象空間に相当）の温度を、室温として表示する。目標温度表示部２１は液晶パネルによって構成されており、目標温度を表示する。
【００４６】
図２に示すように、筐体１の内部において吸い込み口３の近傍に、室温センサー２２（温度センサーに相当）が備えられており、吸い込み口３から筐体１の内部に吸い込まれた筐体１の外部の空気Ａ１の温度が、部屋の温度（室温）として検出される。燃焼器２とファン５との間に、空気Ａ５の温度を検出する温風温度センサー２３が備えられている。
【００４７】
図４に示すように、運転制御手段２４、受付制御手段２５（受付手段に相当）、表示制御手段２６（表示手段に相当）が、ソフトウェアとして制御装置８に備えられている。
運転／停止スイッチ１７、温度設定スイッチ１９、エコ運転スイッチ２７、おはようタイマースイッチ２８、おやすみタイマースイッチ２９の操作信号、室温センサー２２及び温風温度センサー２３の検出信号が制御装置８に入力されている。
【００４８】
図４に示すように、制御装置８において、運転制御手段２４により、点火器１５、第１及び第２開閉弁１１，１２、点火器１５、流量制御弁１０、モータ６が操作されて、燃焼器２の作動（燃焼）の制御が行われる。受付制御手段２５及び温度設定スイッチ１９により、目標温度の受け付けが行われる。表示制御手段２６により、運転表示ランプ１８、室温表示部２０及び目標温度表示部２１が操作される。
以上の運転制御手段２４、受付制御手段２５、表示制御手段２６の作動について、以下の［４］［５］において説明する。
【００４９】
［３］
次に、温風暖房装置における目標温度について説明する。
図２及び図４に示すように、部屋の温度（室温）が室温センサー２２により検出されており、室温センサー２２の検出温度（室温）が基準温度（例えば２０℃）未満であると、制御装置８において第１空調モードが設定され、室温センサー２２の検出温度（室温）が基準温度（例えば２０℃）以上であると、制御装置８において第２空調モードが設定される。
【００５０】
目標温度は、第１及び第２空調モードにおいて、強制弱運転状態での温度と強制強運転状態での温度との間で受け付けられて設定される。
図５に示すように、第１空調モードにおいて、第１温度範囲Ｈ１（例えば１２℃〜２２℃）が設定されている。第１温度範囲Ｈ１の最低温度Ｃ１２（例えば１２℃）よりも低い低温度Ｃ３（例えば約１０℃）が、強制弱運転状態での温度である。第１温度範囲Ｈ１の最高温度Ｃ１１（例えば２２℃）よりも高い温度（例えば約２３℃）が、強制強運転状態での温度であり、第１上限温度Ｃ１である。
【００５１】
図５に示すように、第２空調モードにおいて、第２温度範囲Ｈ２（例えば１２℃〜２６℃）が設定されている。第２温度範囲Ｈ２の最低温度Ｃ２２（例えば１２℃）よりも低い低温度Ｃ４（例えば約１０℃）が、強制弱運転状態での温度である。第２温度範囲Ｈ２の最高温度Ｃ２１（例えば２６℃）よりも高い温度（例えば約４０℃）が、強制強運転状態での温度であり、第２上限温度Ｃ２である。
【００５２】
図５に示すように、第１温度範囲Ｈ１よりも、第２温度範囲Ｈ２が広いものに設定されており、第１温度範囲Ｈ１の強制弱運転状態での温度（低温度Ｃ３）と、第２温度範囲Ｈ２の強制弱運転状態での温度（低温度Ｃ４）とが略同じに設定されている。
【００５３】
図５に示すように、第１上限温度Ｃ１が第２上限温度Ｃ２よりも低く設定されている。第１温度範囲Ｈ１の最高温度Ｃ１１が第２温度範囲Ｈ２の最高温度Ｃ２１よりも低く設定されている。第１上限温度Ｃ１が第２上限温度Ｃ２よりも低く設定され、且つ、第２温度範囲Ｈ２の最高温度Ｃ２１よりも低く設定されている。
【００５４】
［４］
次に、温風暖房装置における運転状態について、図６に基づいて説明する（その１）。
使用者が運転／停止スイッチ１７を押し操作すると（ステップＳ１）、第１及び第２開閉弁１１，１２が開位置に操作されて、点火器１５により燃焼器２が点火され、モータ６によりファン５が作動して（ステップＳ２）、運転状態となる。
【００５５】
運転状態において、運転表示ランプ１８が点灯し（ステップＳ３）、室温センサー２２により部屋の温度が現在の室温として検出されて（ステップＳ４）、現在の室温が室温表示部２０に数字で表示される（ステップＳ５）。
【００５６】
前述のように、運転状態となったときの室温センサー２２の検出温度（室温）が、基準温度未満であると（例えば２０℃未満であると）（ステップＳ６）、第１空調モードが設定される。運転状態となったときの室温センサー２２の検出温度（室温）が、基準温度以上であると（例えば２０℃以上であると）（ステップＳ６）、第２空調モードが設定される。第１及び第２空調モードの設定は制御装置８において行われるのであり、第１空調モード（第２空調モード）が設定されたことの表示は行われない。
【００５７】
使用者が温度設定スイッチ１９を押し操作して目標温度を設定する場合、第１空調モードが設定された状態では、第１上限温度Ｃ１、第１温度範囲Ｈ１、低温度Ｃ３の範囲の中から目標温度が受け付けられる（ステップＳ７）。
【００５８】
第１空調モードにおいて、第１上限温度Ｃ１が目標温度として受け付けられると、「Ｈ」（上限温度用記号に相当）が目標温度表示部２１に表示される。第１温度範囲Ｈ１の中の温度が目標温度として受け付けられると、第１温度範囲Ｈ１の中の温度に対応する数字（例えば２２〜１２）が目標温度表示部２１に表示される。低温度Ｃ３が目標温度として受け付けられると、「Ｌ」が目標温度表示部２１に表示される（ステップＳ８）。
【００５９】
使用者が温度設定スイッチ１９を押し操作して目標温度を設定する場合、第２空調モードが設定された状態では、第２上限温度Ｃ２、第２温度範囲Ｈ２、低温度Ｃ４の範囲の中から目標温度が受け付けられる（ステップＳ１４）。
【００６０】
第２空調モードにおいて、第２上限温度Ｃ２が目標温度として受け付けられると、「Ｈ」（上限温度用記号に相当）が目標温度表示部２１に表示される。第２温度範囲Ｈ２の中の温度が目標温度として受け付けられると、第２温度範囲Ｈ２の中の温度に対応する数字（例えば２６〜１２）が目標温度表示部２１に表示される。低温度Ｃ４が目標温度として受け付けられると、「Ｌ」が目標温度表示部２１に表示される（ステップＳ１５）。
【００６１】
［５］
次に、温風暖房装置における運転状態について、図６に基づいて説明する（その２）。
前項［４］に記載のように、第１空調モード（第２空調モード）において、目標温度が受け付けられて表示されると（ステップＳ７，Ｓ８，Ｓ１４，Ｓ１５）、室温センサー２２による現在の室温の検出（ステップＳ９，Ｓ１６）、及び、室温表示部２０による現在の室温の数字での表示が行われながら（ステップＳ１０，Ｓ１７）、流量制御弁１０が操作されて、燃焼器２が最大加熱能力で作動する（制御される）。
室温センサー２２の検出温度（室温）が目標温度となると、室温センサー２２の検出温度（室温）が目標温度に維持されるように、流量制御弁１０が操作されて燃焼器２が作動する（制御される）（ステップＳ１１，Ｓ１８）。
【００６２】
第１空調モードで、第１上限温度Ｃ１が目標温度として受け付けられた状態において（ステップＳ１２）、室温センサー２２の検出温度（室温）が基準温度以上になったとする（例えば２０℃以上になったとする）（ステップＳ１３）。
【００６３】
この場合、第１上限温度Ｃ１に代えて、第１上限温度Ｃ１に相当する「２３」が目標温度として受け付けられた状態となり（ステップＳ１９）、ステップＳ１５に移行して、第１空調モードから第２空調モードに切り換えられる。
【００６４】
これにより、目標温度表示部２１において、表示されていた「Ｈ」に代えて数字の「２３」が表示されるのであり、前述と同様に、室温センサー２２による現在の室温の検出（ステップＳ１６）、及び、室温表示部２０による現在の室温の数字での表示が行われながら（ステップＳ１７）、室温センサー２２の検出温度（室温）が目標温度（２３℃）となるように（目標温度（２３℃）に維持されるように）、流量制御弁１０が操作されて燃焼器２が作動する（制御される）（ステップＳ１８）。
【００６５】
前述のように、目標温度表示部２１において、表示されていた「Ｈ」に代えて数字の「２３」が表示されることにより、使用者は、数字で表示された目標温度（２３℃）よりも高い温度を、目標温度として指示することができる状態になったことを認識することができるのであり、使用者は温度設定スイッチ１９を押し操作することにより、さらに高い温度を目標温度として指示することができる。
【００６６】
［６］
次に、温風暖房装置におけるエコ運転スイッチ２７、おはようタイマースイッチ２８、おやすみタイマースイッチ２９について説明する。
図４に示すように、エコ運転スイッチ２７は、エコ運転モードの作動及び停止を指示するものである。
【００６７】
エコ運転モードの作動状態において、室温センサー２２の検出温度（室温）が目標温度となってから所定時間（例えば３０分程度）が経過すると、目標温度表示部２１の表示が変更されずに、目標温度が１℃だけ下げられる。
前述のように、目標温度が１℃だけ下げられてから、さらに所定時間（例えば３０分程度）が経過すると、目標温度表示部２１の表示が変更されずに、目標温度がさらに１℃だけ下げられる。
【００６８】
図４に示すように、おはようタイマースイッチ２８は、運転が自動的に開始される運転開始予定時刻を設定するものである。
おはようタイマースイッチ２８を入り操作した状態において、目標温度表示部２１及び室温表示部２０が、運転開始予定時刻を表示する状態となり、温度設定スイッチ１９を押し操作することにより、運転開始予定時刻を設定することができる。
運転開始予定時刻において、運転が自動的に開始された場合、運転が開始されてから設定時間（例えば６０分）が経過すると、運転が自動的に終了される。
【００６９】
図４に示すように、おやすみタイマースイッチ２９は、おやすみタイマースイッチ２９を入り操作した時点から設定時間の経過後に、運転が自動的に終了されるようにするものである。
おやすみタイマースイッチ２９を入り操作する回数により、複数の設定時間（例えば１５分、３０分、４５分、６０分）の中から希望の設定時間を選択することができるのであり、選択された設定時間が目標温度表示部２１及び室温表示部２０に表示される。
【００７０】
［発明の実施の第１別形態］
次に、本発明を空調装置の一例である冷房装置に適用した場合について、以下のように説明する。
【００７１】
［７］
冷房装置の全体構成について説明する。
図７に示すように、電気（ユーティリティに相当）を使用する冷房器３０（冷房手段に相当）が備えられており、温風暖房装置と同様に、運転／停止スイッチ１７、運転表示ランプ１８、温度設定スイッチ１９（受付手段に相当）、室温表示部２０、及び目標温度表示部２１（表示手段に相当）、部屋（空調対象空間に相当）の温度を検出する室温センサー２２（温度センサーに相当）が備えられて、冷房装置が構成されている。
【００７２】
図７に示すように、運転制御手段２４、受付制御手段２５（受付手段に相当）、表示制御手段２６（表示手段に相当）が、ソフトウェアとして制御装置８に備えられている。運転／停止スイッチ１７及び温度設定スイッチ１９の操作信号、室温センサー２２の検出信号が制御装置８に入力されている。
【００７３】
図７に示すように、制御装置８において、運転制御手段２４により、冷房器３０の作動の制御が行われる。受付制御手段２５及び温度設定スイッチ１９により、目標温度の受け付けが行われる。表示制御手段２６により、運転表示ランプ１８、室温表示部２０及び目標温度表示部２１が操作される。
【００７４】
［８］
次に、冷房装置における目標温度について説明する。
図８に示すように、部屋の温度（室温）が室温センサー２２により検出されており、室温センサー２２の検出温度（室温）が基準温度（例えば２６℃）を越えていると、制御装置８において第１空調モードが設定され、室温センサー２２の検出温度（室温）が基準温度（例えば２６℃）以下であると、制御装置８において第２空調モードが設定される。
【００７５】
目標温度は、第１及び第２空調モードにおいて、強制弱運転状態での温度と強制強運転状態での温度との間で受け付けられて設定される。
図８に示すように、第１空調モードにおいて、第１温度範囲Ｇ１（例えば２４℃〜２９℃）が設定されている。第１温度範囲Ｇ１の最高温度Ｄ１２（例えば２９℃）よりも高い高温度Ｄ３（例えば約３０℃）が、強制弱運転状態での温度である。第１温度範囲Ｇ１の最低温度Ｄ１１（例えば２４℃）よりも低い温度（例えば約２３℃）が、強制強運転状態での温度であり、第１下限温度Ｄ１である。
【００７６】
図８に示すように、第２空調モードにおいて、第２温度範囲Ｇ２（例えば２０℃〜２９℃）が設定されている。第２温度範囲Ｇ２の最高温度Ｄ２２（例えば２９℃）よりも高い高温度Ｄ４（例えば約３０℃）が、強制弱運転状態での温度である。第２温度範囲Ｇ２の最低温度Ｄ２１（例えば２０℃）よりも低い温度（例えば約１６℃）が、強制強運転状態での温度であり、第２下限温度Ｄ２である。
【００７７】
図８に示すように、第１温度範囲Ｇ１よりも、第２温度範囲Ｇ２が広いものに設定されており、第１温度範囲Ｇ１の強制弱運転状態での温度（高温度Ｄ３）と、第２温度範囲Ｇ２の強制弱運転状態での温度（高温度Ｄ４）とが略同じに設定されている。
【００７８】
図８に示すように、第１下限温度Ｄ１が第２下限温度Ｄ２よりも高く設定されている。第１温度範囲Ｇ１の最低温度Ｄ１１が第２温度範囲Ｇ２の最低温度Ｄ２１よりも高く設定されている。第１下限温度Ｄ１が第２下限温度Ｄ２よりも高く設定され、且つ、第２温度範囲Ｇ２の最低温度Ｄ２１よりも高く設定されている。
【００７９】
［９］
次に、冷房装置における運転状態について、図９に基づいて説明する（その１）。
使用者が運転／停止スイッチ１７を押し操作すると（ステップＳ３１）、冷房器３０が作動して（ステップＳ３２）、運転状態となる。運転状態において、運転表示ランプ１８が点灯し（ステップＳ３３）、室温センサー２２により部屋の温度が現在の室温として検出されて（ステップＳ３４）、現在の室温が室温表示部２０に数字で表示される（ステップＳ３５）。
【００８０】
前述のように、運転状態となったときの室温センサー２２の検出温度（室温）が、基準温度を越えていると（例えば２６℃を越えていると）（ステップＳ３６）、第１空調モードが設定される。運転状態となったときの室温センサー２２の検出温度（室温）が、基準温度以下であると（例えば２６℃以下であると）（ステップＳ３６）、第２空調モードが設定される。第１及び第２空調モードの設定は制御装置８において行われるのであり、第１空調モード（第２空調モード）が設定されたことの表示は行われない。
【００８１】
使用者が温度設定スイッチ１９を押し操作して目標温度を設定する場合、第１空調モードが設定された状態では、第１下限温度Ｄ１、第１温度範囲Ｇ１、高温度Ｄ３の範囲の中から目標温度が受け付けられる（ステップＳ３７）。
【００８２】
第１空調モードにおいて、第１下限温度Ｄ１が目標温度として受け付けられると、「Ｌ」（下限温度用記号に相当）が目標温度表示部２１に表示される。第１温度範囲Ｇ１の中の温度が目標温度として受け付けられると、第１温度範囲Ｇ１の中の温度に対応する数字（例えば２４〜２９）が目標温度表示部２１に表示される。高温度Ｄ３が目標温度として受け付けられると、「Ｈ」が目標温度表示部２１に表示される（ステップＳ３８）。
【００８３】
使用者が温度設定スイッチ１９を押し操作して目標温度を設定する場合、第２空調モードが設定された状態では、第２下限温度Ｄ２、第２温度範囲Ｇ２、高温度Ｄ４の範囲の中から目標温度が受け付けられる（ステップＳ４４）。
【００８４】
第２空調モードにおいて、第２下限温度Ｄ２が目標温度として受け付けられると、「Ｌ」（下限温度用記号に相当）が目標温度表示部２１に表示される。第２温度範囲Ｇ２の中の温度が目標温度として受け付けられると、第２温度範囲Ｇ２の中の温度に対応する数字（例えば２０〜２９）が目標温度表示部２１に表示される。高温度Ｄ４が目標温度として受け付けられると、「Ｈ」が目標温度表示部２１に表示される（ステップＳ４５）。
【００８５】
［１０］
次に、冷房装置における運転状態について、図９に基づいて説明する（その２）。
前項［９］に記載のように、第１空調モード（第２空調モード）において、目標温度が受け付けられて表示されると（ステップＳ３７，Ｓ３８，Ｓ４４，Ｓ４５）、室温センサー２２による現在の室温の検出（ステップＳ３９，Ｓ４６）、及び、室温表示部２０による現在の室温の数字での表示が行われながら（ステップＳ４０，Ｓ４７）、冷房器３０が最大冷房能力で作動する（制御される）。
室温センサー２２の検出温度（室温）が目標温度となると、室温センサー２２の検出温度（室温）が目標温度に維持されるように、冷房器３０が作動する（制御される）（ステップＳ４１，Ｓ４８）。
【００８６】
第１空調モードで、第１下限温度Ｄ１が目標温度として受け付けられた状態において（ステップＳ４２）、室温センサー２２の検出温度（室温）が基準温度以下になったとする（例えば２６℃以下になったとする）（ステップＳ４３）。
【００８７】
この場合、第１下限温度Ｄ１に代えて、第１下限温度Ｄ１に相当する「２３」が目標温度として受け付けられた状態となり（ステップＳ４９）、ステップＳ４５に移行して、第１空調モードから第２空調モードに切り換えられる。
【００８８】
これにより、目標温度表示部２１において、表示されていた「Ｌ」に代えて数字の「２３」が表示されるのであり、前述と同様に、室温センサー２２による現在の室温の検出（ステップＳ４６）、及び、室温表示部２０による現在の室温の数字での表示が行われながら（ステップＳ４７）、室温センサー２２の検出温度（室温）が目標温度（２３℃）となるように（目標温度（２３℃）に維持されるように）、冷房器３０が作動する（制御される）（ステップＳ４８）。
【００８９】
前述のように、目標温度表示部２１において、表示されていた「Ｌ」に代えて数字の「２３」が表示されることにより、使用者は、数字で表示された目標温度（２３℃）よりも低い温度を、目標温度として指示することができる状態になったことを認識することができるのであり、使用者は温度設定スイッチ１９を押し操作することにより、さらに低い温度を目標温度として指示することができる。
【００９０】
［発明の実施の第２別形態］
前述の［発明を実施するための形態］の目標温度において（図５参照）、第１温度範囲Ｈ１の強制弱運転状態での温度（低温度Ｃ３）と、第２温度範囲Ｈ２の強制弱運転状態での温度（低温度Ｃ４）とが異なるように設定してもよい。
この場合、第１温度範囲Ｈ１の強制弱運転状態での温度（低温度Ｃ３）よりも、第２温度範囲Ｈ２の強制弱運転状態での温度（低温度Ｃ４）を高いものに設定すれば、第１温度範囲Ｈ１の範囲と第２温度範囲Ｈ２の範囲とを同じものに設定してもよい。
第１上限温度Ｃ１が第２上限温度Ｃ２よりも低く設定された状態において、第１上限温度Ｃ１を、第２温度範囲Ｈ２の最高温度Ｃ２１よりも高く設定してもよい。
【００９１】
［発明の実施の第３別形態］
前述の［発明の実施の第１別形態］の目標温度において（図８参照）、第１温度範囲Ｇ１の強制弱運転状態での温度（高温度Ｄ３）と、第２温度範囲Ｇ２の強制弱運転状態での温度（高温度Ｄ４）とが異なるように設定してもよい。
この場合、第１温度範囲Ｇ１の強制弱運転状態での温度（高温度Ｄ３）よりも、第２温度範囲Ｇ２の強制弱運転状態での温度（高温度Ｄ４）を低いもの設定すれば、第１温度範囲Ｇ１の範囲と第２温度範囲Ｇ２の範囲とを同じものに設定してもよい。
第１下限温度Ｄ１が第２下限温度Ｄ２よりも高く設定されてた状態において、第１下限温度Ｄ１を、第２温度範囲Ｇ２の最低温度Ｄ２１よりも低く設定してもよい。
【００９２】
［発明の実施の第４別形態］
前述の［発明を実施するための形態］及び［発明の実施の第２別形態］において（図６参照）、第１空調モードで第１上限温度Ｃ１が目標温度として受け付けられた場合（第２空調モードで第２上限温度Ｃ２が目標温度として受け付けられた場合）、「Ｈ」が目標温度表示部２１に表示されて、設定時間の経過以後に「Ｈ］の表示が自動的に停止されるように構成してもよい（ステップＳ８，Ｓ１５）。
【００９３】
同様に、第１空調モードで低温度Ｃ３が目標温度として受け付けられた場合（第２空調モードで低温度Ｃ４が目標温度として受け付けられた場合）、「Ｌ」が目標温度表示部２１に表示されて、設定時間の経過以後に「Ｌ］の表示が自動的に停止されるように構成してもよい（ステップＳ８，Ｓ１５）。
【００９４】
前述の第１空調モードにおいて、第１上限温度Ｃ１が目標温度として受け付けられた状態で（ステップＳ１２）、室温センサー２２の検出温度（室温）が基準温度以上になり（ステップＳ１３）、ステップＳ１５に移行して、第１空調モードから第２空調モードに切り換えられた場合、目標温度表示部２１に数字の「２３」が表示されるように構成すればよい。
【００９５】
［発明の実施の第５別形態］
前述の［発明の実施の第１別形態］及び［発明の実施の第３別形態］において（図９参照）、第１空調モードで第１下限温度Ｄ１が目標温度として受け付けられた場合（第２空調モードで第２下限温度Ｄ２が目標温度として受け付けられた場合）、「Ｌ」が目標温度表示部２１に表示されて、設定時間の経過以後に「Ｌ］の表示が自動的に停止されるように構成してもよい（ステップＳ３８，Ｓ４５）。
【００９６】
同様に、第１空調モードで高温度Ｄ３が目標温度として受け付けられた場合（第２空調モードで高温度Ｄ４が目標温度として受け付けられた場合）、「Ｈ」が目標温度表示部２１に表示されて、設定時間の経過以後に「Ｈ］の表示が自動的に停止されるように構成してもよい（ステップＳ８，Ｓ１５）。
【００９７】
前述の第１空調モードにおいて、第１下限温度Ｄ１が目標温度として受け付けられた状態で（ステップＳ４２）、室温センサー２２の検出温度（室温）が基準温度以下になり（ステップＳ４３）、ステップＳ４５に移行して、第１空調モードから第２空調モードに切り換えられた場合、目標温度表示部２１に数字の「２３」が表示されるように構成すればよい。
【００９８】
なお、上記実施形態（別実施形態を含む。以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００９９】
本発明は、空調対象空間の空気を加熱（冷却）する加熱手段を備えた暖房装置や、冷房手段を備えた冷房装置等の空調装置に適用できる。
【符号の説明】
【０１００】
２          加熱手段
２２        温度センサー
１９，２５  受付手段
２１，２６  表示手段
２４        運転制御手段
３０        冷房手段
Ｃ１        第１上限温度
Ｃ２        第２上限温度
Ｃ１１      第１温度範囲の最高温度
Ｃ２１      第２温度範囲の最高温度
Ｄ１        第１下限温度
Ｄ２        第２下限温度
Ｄ１１      第１温度範囲の最低温度
Ｄ２１      第２温度範囲の最低温度
Ｈ          上限温度用記号
Ｈ１，Ｇ１  第１温度範囲
Ｈ２，Ｇ２  第２温度範囲
Ｌ          下限温度用記号
【図１】
0006611638.tif 000002
【図２】
0006611638.tif 000003
【図３】
0006611638.tif 000004
【図４】
0006611638.tif 000005
【図５】
0006611638.tif 000006
【図６】
0006611638.tif 000007
【図７】
0006611638.tif 000008
【図８】
0006611638.tif 000009
【図９】
0006611638.tif 000010